(57)【特許請求の範囲】
【請求項１】
互いに対向する前面部及び後面部と、互いに対向する上面部及び下面部と、互いに対向する２つの側面部とを画成し、前記前面部及び前記上面部の少なくとも一部に広がる開口と、該開口を開放及び閉鎖可能にするシャッターと、該シャッターを移動可能に保持する前記側面部の各々に配設された、前記前面部、前記上面部、前記後面部、及び前記下面部の少なくとも一部に沿って延びているガイドレールとを備えるシャッター付き収容装置であって、
前記後面部及び前記上面部において少なくとも前記後面部に広がる、前記シャッター付き収容装置の外側と前記シャッター付き収容装置の内側とを隔てる隔壁部材と、
前記ガイドレールと前記隔壁部材との間において前記側面部の間に延びる補強部材とを備え、
前記シャッターは、長尺状のシャッター片を複数備え、該シャッター片が連結部において回動可能に互いに連結されて形成されており、
前記連結部は、前記シャッター片の長手側の端部が互いに回動可能に係合されることにより形成されており、前記連結部の少なくとも１つは、前記シャッターが前記開口を閉鎖した状態において、前記ガイドレールの曲り角部に位置するようになっており、
前記補強部材は、前記ガイドレールの曲り角部において、前記開口を閉鎖した状態における前記シャッターの少なくとも１つの前記連結部に面する補強面を有することを特徴とするシャッター付き収容装置。
【請求項２】
前記補強部材の前記補強面は、該補強面が面する前記連結部に隣接する前記シャッター片のうち前記シャッターの開放方向側のシャッター片の短手方向に交差するように延びていることを特徴とする請求項１記載のシャッター付き収容装置。
【請求項３】
前記シャッターにおいて、前記補強面が面する前記連結部を介して連結されている一対の前記シャッター片の短手方向の間の角度が、互いに連結された前記シャッター片の短手方向の間の角度において最小であることを特徴とする請求項１又は２記載のシャッター付き収容装置。
【請求項４】
前記隔壁部材は、前記後面部に広がる後面板と、前記上面部の少なくとも一部に広がる上面板とを有し、
前記補強部材は、前記上面板に取り付けられていることを特徴とする請求項１乃至３のいずれか１項記載のシャッター付き収容装置。
【請求項５】
前記シャッター片は、矩形の板状の形状を有し、可撓性材料から形成されていることを特徴とする請求項１乃至４のいずれか１項記載のシャッター付き収容装置。
【請求項６】
前記シャッター片において、前記長手側の端部の一方は長手方向に延びる溝を有しており、前記長手側の端部の他方は長手方向に延びる突条片を有しており、前記シャッター片の前記溝に、他の前記シャッター片の前記突条片が収容されて前記連結部が形成されていることを特徴とする請求項１乃至５のいずれか１項記載のシャッター付き収容装置。
【発明の詳細な説明】
【技術分野】
【０００１】
本発明は、シャッター付き収容装置に関し、特に、商品等の物品を陳列するために用いられる物品陳列棚にシャッターが設けられたシャッター付き物品陳列棚に関する。
【背景技術】
【０００２】
スーパーマーケットやコンビニエンスストア等の店舗において、商品等の物品を陳列するために収容装置としての物品陳列棚が使用されている。従来の物品陳列棚には、その内部を開放及び閉鎖可能にするための扉として、フレームに設けられたガイドレールに沿って動くシャッターを備えるものがある（例えば、特許文献１参照）。このような従来のシャッター付きの物品陳列棚におけるシャッターは、複数の樹脂製の長尺状のシャッター片（スラット）が互いに回動可能に連結されて形成されている。従来のシャッター片には、変形しにくいように中空の二重構造にしたものがあり、また、シャッターの重量低減による操作性の向上や製造コストの低減のために板状にしたものがある。
【先行技術文献】
【特許文献】
【０００３】
【特許文献１】実開平０５−１０６９２号公報
【発明の概要】
【発明が解決しようとする課題】
【０００４】
このような従来の板状のシャッター片を用いて形成されたシャッターを有するシャッター付き物品陳列棚においては、シャッターの操作性の向上や製造コストの低減を図ることはできるが、シャッター片は可撓性が大きいため変形し易く、フレームや上面板とシャッターとの間の空間を押し広げることが容易となっていた。このため、ネズミ等の害獣がフレームや上面板とシャッターとの間の空間を押し広げて物品陳列棚内に侵入し、内部の物品が食害されてしまう場合があった。
【０００５】
このように、従来のシャッター付き物品陳列棚においては、可撓性の大きいシャッター片を用いて形成されたシャッターを備えていても、害獣が内部に侵入し難くすることができる構造が求められていた。
【０００６】
本発明は、上記課題に鑑みてなされたものであり、その目的は、可撓性の大きいシャッター片を用いて形成されたシャッターを用いても、内部への害獣の侵入の防止を図ることができるシャッター付き収納装置を提供することにある。
【課題を解決するための手段】
【０００７】
上記目的を達成するために、本発明係るシャッター付き収容装置は、互いに対向する前面部及び後面部と、互いに対向する上面部及び下面部と、互いに対向する２つの側面部とを画成し、前記前面部及び前記上面部の少なくとも一部に広がる開口と、該開口を開放及び閉鎖可能にするシャッターと、該シャッターを移動可能に保持する前記側面部の各々に配設された、前記前面部、前記上面部、前記後面部、及び前記下面部の少なくとも一部に沿って延びているガイドレールとを備えるシャッター付き収容装置であって、前記後面部及び前記上面部において少なくとも前記後面部に広がる、前記シャッター付き収容装置の外側と前記シャッター付き収容装置の内側とを隔てる隔壁部材と、前記ガイドレールと前記隔壁部材との間において前記側面部の間に延びる補強部材とを備え、前記シャッターは、長尺状のシャッター片を複数備え、該シャッター片が連結部において回動可能に互いに連結されて形成されており、前記連結部は、前記シャッター片の長手側の端部が互いに回動可能に係合されることにより形成されており、前記連結部の少なくとも１つは、前記シャッターが前記開口を閉鎖した状態において、前記ガイドレールの曲り角部に位置するようになっており、前記補強部材は、前記ガイドレールの曲り角部において、前記開口を閉鎖した状態における前記シャッターの少なくとも１つの前記連結部に面する補強面を有することを特徴とする。
【０００８】
本発明の一態様に係るシャッター付き収容装置において、前記補強部材の前記補強面は、該補強面が面する前記連結部に隣接する前記シャッター片のうち前記シャッターの開放方向側のシャッター片の短手方向に交差するように延びている。
【０００９】
本発明の一態様に係るシャッター付き収容装置においては、前記シャッターにおいて、前記補強面が面する前記連結部を介して連結されている一対の前記シャッター片の短手方向の間の角度が、互いに連結された前記シャッター片の短手方向の間の角度において最小である。
【００１０】
本発明の一態様に係るシャッター付き収容装置において、前記隔壁部材は、前記後面部に広がる後面板と、前記上面部の少なくとも一部に広がる上面板とを有し、前記補強部材は、前記上面板に取り付けられている。
【００１１】
本発明の一態様に係るシャッター付き収容装置において、前記シャッター片は、矩形の板状の形状を有し、可撓性材料から形成されている。
【００１２】
本発明の一態様に係るシャッター付き収容装置においては、前記シャッター片において、前記長手側の端部の一方は長手方向に延びる溝を有しており、前記長手側の端部の他方は長手方向に延びる突条片を有しており、前記シャッター片の前記溝に、他の前記シャッター片の前記突条片が収容されて前記連結部が形成されている。
【発明の効果】
【００１３】
本発明に係るシャッター付き収容装置によれば、可撓性の大きいシャッター片を用いて形成されたシャッターを用いても、内部への害獣の侵入の防止を図ることができる。
【図面の簡単な説明】
【００１４】
【図１】本発明の実施の形態に係るシャッター付き収容装置の構成を概略的に示すための斜視図であり、シャッターが開放された状態を示している。
【図２】本発明の実施の形態に係るシャッター付き収容装置の構成を概略的に示すための斜視図であり、シャッターが閉鎖された状態を示している。
【図３】図１に示す状態におけるシャッター付き収容装置の右側面図である。
【図４】図２に示す状態におけるシャッター付き収容装置の右側面図である。
【図５】本発明の実施の形態に係るシャッター付き収容装置のシャッターを形成するシャッター片の構成を概略的に示すためのシャッター片の長手方向に直交する断面における断面図である。
【図６】本発明の実施の形態に係るシャッター付き収容装置の閉鎖状態におけるシャッターの前端部を拡大して示す上下方向に沿う断面におけるシャッター付き収容装置の部分拡大断面図である。
【図７】本発明の実施の形態に係るシャッター付き収容装置の後面部の構成を説明するための図であり、図７（ａ）は、シャッターが開放位置と閉鎖位置との中間に位置する状態におけるシャッター付き収容装置の部分透過背面図であり、図７（ｂ）は、図７（ａ）に示す後面部を左右方向に見た部分拡大断面図である。
【図８】本発明の実施の形態に係るシャッター付き収容装置の備える補強部材の概略構成を示すための左右方向に直交する断面におけるシャッター付き収容装置の部分拡大断面図である。
【図９】本発明の実施の形態に係るシャッター付き収容装置における上部フレーム、上面板、及び補強部材のより具体的な形状を示すための図であり、図９（ａ）は、補強部材の一方の端部の部分拡大斜視図であり、図９（ｂ）は、上面板及び補強部材の延び方向に直交する断面における断面図であり、図９（ｃ）は、上部フレームと上面板及び補強部材との分解斜視図である。
【発明を実施するための形態】
【００１５】
以下、本発明の実施の形態について図面を参照しながら説明する。
【００１６】
図１は、本発明の実施の形態に係るシャッター付き収容装置の構成を概略的に示すための斜視図であり、シャッターが開放された状態を示している。図２は、本発明の実施の形態に係るシャッター付き収容装置の構成を概略的に示すための斜視図であり、シャッターが閉鎖された状態を示している。図３は、図１に示す状態におけるシャッター付き収容装置の右側面図であり、図４は、図２に示す状態におけるシャッター付き収容装置の右側面図である。本発明の実施の形態に係るシャッター付き収容装置においては、収容装置としての棚を備えており、棚は、例えば、商品等の物品を陳列するための物品陳列棚である。
【００１７】
図１に示すように、本発明の実施の形態に係るシャッター付き収容装置１は、互いに対向する前面部２及び後面部３と、互いに対向する上面部４及び下面部５と、互いに対向する右側面部６及び左側面部７とを画成し、前面部２及び上面部４において少なくとも部分的に広がる開口８を開放及び閉鎖可能にするシャッター１０と、シャッター１０を移動可能に保持する右側面部６及び左側面部７に夫々配設されたガイドレール２０，３０とを備えている。
【００１８】
具体的には、シャッター付き収容装置１は、六面から成る空間を画成するフレーム体４０を備え、フレーム体４０が前面部２、後面部３、上面部４、下面部５、右側面部６、及び左側面部７を画成している。ここで、説明の便宜上、前面部２から後面部３に向かって右側を右とし、前面部２から後面部３に向かって左側を左とする。また、前面部２から後面部３に向かう方向を後方とし、後面部３から前面部２に向かう方向を前方とし、上面部４から下面部５に向かう方向を下方とし、下面部５から上面部４に向かう方向を上方とする。前後方向（図１の矢印ａ方向）と上下方向（図１の矢印ｂ方向）と左右方向（図１の矢印ｃ方向）とは、互いに直交している。
【００１９】
フレーム体４０は、図１に示すように、矩形の枠形状を呈する右側部フレーム４１と、矩形の枠形状を呈する左側部フレーム４２とを備えている。右側部フレーム４１と左側部フレーム４２とは、シャッター付き収容装置１において、左右方向において、互いに対向しており、面対称な形状を有している。右側部フレーム４１は、中空筒状の下部フレーム４１ａと、中空筒状の前部フレーム４１ｂと、中空筒状の後部フレーム４１ｃと、中空筒状の上部フレーム４１ｄとを備えている。左側部フレーム４２は、右側部フレーム４１と同様に、中空筒状の下部フレーム４２ａと、中空筒状の前部フレーム４２ｂと、中空筒状の後部フレーム４２ｃと、中空筒状の上部フレーム４２ｄとを備えている。
【００２０】
右側部フレーム４１において、下部フレーム４１ａは、図１に示すように、下方において、前後方向に延びる部分であり、前部フレーム４１ｂは、下部フレーム４１ａの前方側の端部から立設された上下方向に延びる部分である。また、右側部フレーム４１において、後部フレーム４１ｃは、下部フレーム４１ａの後方側の端部から立設された上下方向に延びる部分であり、上部フレーム４１ｄは、前部フレーム４１ｂの上方側の端部と後部フレーム４１ｃの上方側の端部とを接続する前後方向に延びる部分である。
【００２１】
同様に、左側部フレーム４２において、下部フレーム４２ａは、図１に示すように、下方において、前後方向に延びる部分であり、前部フレーム４２ｂは、下部フレーム４２ａの前方側の端部から立設された上下方向に延びる部分である。また、左側部フレーム４２において、後部フレーム４２ｃは、下部フレーム４２ａの後方側の端部から立設された上下方向に延びる部分であり、上部フレーム４２ｄは、前部フレーム４２ｂの上方側の端部と後部フレーム４２ｃの上方側の端部とを接続する前後方向に延びる部分である。
【００２２】
本実施の形態において、下部フレーム４１ａ，４２ａ、前部フレーム４１ｂ，４２ｂ、後部フレーム４１ｃ，４２ｃ、及び上部フレーム４１ｄ，４２ｄは夫々、その延び方向に直交する面における断面形状が矩形である。なお、下部フレーム４１ａ，４２ａ、前部フレーム４１ｂ，４２ｂ、後部フレーム４１ｃ，４２ｃ、及び上部フレーム４１ｄ，４２ｄの各々の断面形状は、上述の矩形に限るものではなく、例えば円形等の他の形状であってもよい。
【００２３】
また、フレーム体４０は、図１に示すように、夫々右側部フレーム４１と左側部フレーム４２との間において左右方向に延びる中空筒状又は中空板状のキックボード４３と、下部連結フレーム４４とを備えている。キックボード４３は、フレーム体４０における前方及び下方部分において右側部フレーム４１と左側部フレーム４２とを接続し、例えば、右側部フレーム４１の前部フレーム４１ｂの下方側の端部と、左側部フレーム４２の前部フレーム４２ｂの下方側の端部とに接続している。下部連結フレーム４４は、フレーム体４０における後方及び下方部分において右側部フレーム４１と左側部フレーム４２とを接続し、例えば、右側部フレーム４１の後部フレーム４１ｃの下方側の端部と、左側部フレーム４２の後部フレーム４２ｃの下方側の端部とに接続している。
【００２４】
ガイドレール２０は、図１に示すように、右側部フレーム４１の内側の面に設けられており、前面部２、上面部４、後面部３、及び下面部５の少なくとも一部に沿って延びている。本実施の形態においては、図１に示すように、ガイドレール２０は、前部フレーム４１ｂの一部、上部フレーム４１ｄ、後部フレーム４１ｃ、及び下部フレーム４１ａの一部に亘って延びている。例えば、前部フレーム４１ｂのキックボード４３との結合部の直上から、前部フレーム４１ｂ、上部フレーム４１ｄ、後部フレーム４１ｃ、及び下部フレーム４１ａに沿って延びている。ガイドレール２０は、その延び方向に直交する面における断面形状が略コ字（Ｕ字）状であり、右側部フレーム４１の内側の面において、外側（右方向）に凹む溝を形成しており、後述するように、シャッター１０を移動可能に保持している。
【００２５】
ガイドレール３０は、ガイドレール２０と同様の形状を有しており、左側部フレーム４２の内側の面に設けられており、前面部２、上面部４、後面部３、及び下面部５の少なくとも一部に沿って延びている。本実施の形態においては、図１に示すように、ガイドレール３０は、前部フレーム４２ｂの一部、上部フレーム４２ｄ、後部フレーム４２ｃ、及び下部フレーム４２ａの一部に亘って延びている。例えば、前部フレーム４２ｂのキックボード４３との結合部の直上から、前部フレーム４２ｂ、上部フレーム４２ｄ、後部フレーム４２ｃ、及び下部フレーム４２ａに沿って延びている。ガイドレール３０は、ガイドレール２０と同様の形状を有しており、その延び方向に直交する面における断面形状が略コ字（Ｕ字）状であり、左側部フレーム４２の内側の面において、外側（左方向）に凹む溝を形成しており、後述するように、シャッター１０を移動可能に保持している。
【００２６】
ガイドレール２０は、図１に示すように、前部フレーム４１ｂと上部フレーム４１ｄとの間、上部フレーム４１ｄと後部フレーム４１ｃとの間、及び後部フレーム４１ｃと下部フレーム４１ａとの間の移行部に曲り角部２０ａ〜２０ｃを有している。ガイドレール２０は、曲り角部２０ａ〜２０ｃにおいて夫々、滑らかな形状、例えば外側に向かって凸の一定の曲率を有する円弧形状を呈して延びており、他の部分において直線状に延びている。同様に、ガイドレール３０は、前部フレーム４２ｂと上部フレーム４２ｄとの間、上部フレーム４２ｄと後部フレーム４２ｃとの間、及び後部フレーム４２ｃと下部フレーム４２ａとの間の移行部に曲り角部３０ａ〜３０ｃを有している。ガイドレール３０は、曲り角部３０ａ〜３０ｃにおいて夫々、滑らかな形状、例えば外側に向かって凸の一定の曲率を有する円弧形状を呈して延びており、他の部分において直線状に延びている。このように、ガイドレール２０，３０は、直線状の部分の間が滑らかに接続されており、シャッター１０は、ガイドレール２０，３０に沿って滑らかに移動可能となっている。
【００２７】
フレーム体４０において、各フレーム４１ａ〜４１ｄ，４２ａ〜４２ｄ，４３，４４は、例えば、鋼板を折曲加工して形成される。また、ガイドレール２０，３０は、例えば、右側部フレーム４１及び左側部フレーム４２とは別体として、鋼板を折曲加工して形成して、右側部フレーム４１及び左側部フレーム４２に夫々取り付けてもよく、または、下部フレーム４１ａ，４２ａ、前部フレーム４１ｂ，４２ｂ、後部フレーム４１ｃ，４２ｃ、及び上部フレーム４１ｄ，４２ｄを夫々折曲加工して一体的に形成されるようにしてもよい。
【００２８】
また、下部フレーム４１ａ，４２ａ、前部フレーム４１ｂ，４２ｂ、後部フレーム４１ｃ，４２ｃ、及び上部フレーム４１ｄ，４２ｄは、いずれの結合方法によって対応するフレームに結合されてよく、例えば、図示しない螺子が螺合されることにより互いに結合されるようにしてもよく、また、溶接や嵌合されることにより互いに結合されるようにしてもよい。また、キックボード４３及び下部連結フレーム４４も、いずれの結合方法によって右側部フレーム４１及び左側部フレーム４２に結合されてよく、例えば、図示しない螺子が螺合されることにより互いに結合されるようにしてもよく、また、溶接や嵌合されることにより互いに結合されるようにしてもよい。
【００２９】
また、ガイドレール２０，３０が右側部フレーム４１及び左側部フレーム４２とは別体として夫々形成される場合は、ガイドレール２０，３０は、いずれの方法によって右側部フレーム４１及び左側部フレーム４２に夫々取り付けられてもよく、例えば、図示しない螺子が螺合されることにより取り付けられるようにしてもよく、また、溶接や嵌合されることにより取り付けられるようにしてもよい。
【００３０】
フレーム体４０の下部には、図１に示すように、複数の接地アジャスター４５が取り付けられており、シャッター付き収容装置１は、接地アジャスター４５を介して、床面等の接地面上に置かれる。接地アジャスター４５は、従来公知の上下方向の高さを調整可能な構造を有しており、フレーム体４０の設置面からの高さを調整することができる。接地アジャスター４５は、例えば、右側部フレーム４１の下部フレーム４１ａ及び左側部フレーム４２の下部フレーム４２ａの夫々の下方の面に設けられている。
【００３１】
図２〜４に示すように、シャッター１０は、長尺状のシャッター片１１を複数備え、シャッター片１１が連結部１２において回動可能に互いに連結されて形成されている。図５は、シャッター片１１の構成を概略的に示すためのシャッター片１１の長手方向に直交する断面における断面図である。シャッター片１１は、具体的には、シャッター付き収容装置１において左右方向に延びる長手方向の幅がフレーム体４０における右側部フレーム４１と左側部フレーム４２との間の距離に対応した、略矩形の長尺板状の部材であり、図５に示すように、基体部１１ａと、基体部１１ａの長手側の一方の端部に形成された第１係合部１１ｂと、基体部１１ａの長手側の他方の端部に形成された第２係合部１１ｃとを有している。第１係合部１１ｂは第２係合部１１ｃと互いに回動可能に係合可能な形状となっている。つまり、シャッター片１１は、シャッター片１１の第１係合部１１ｂに、他のシャッター片１１の第２係合部１１ｃが係合可能となっており、互いに連結可能になっており、互いに係合された２つシャッター片１１は、第１係合部１１ｂ及び第２係合部１１ｃを中心として互いに基体部１１ａが面する方向に回動可能になっている。このように、シャッター１０においては、シャッター片１１の第１係合部１１ｂとこれに隣接するシャッター片１１の第２係合部１１ｃとが連結部１２を形成している。
【００３２】
シャッター片１１の第１係合部１１ｂは、具体的には、図５に示すように、長手方向に延びる溝１１ｄを有しており、また、シャッター片１１の第２係合部１１ｃは、具体的には、図５に示すように、長手方向に延びる突条片１１ｅを有している。第１係合部１１ｂの溝１１ｄ及び第２係合部１１ｃの突条片１１ｅは、溝１１ｄ内に突条片１１ｅが収容可能となるように、且つ突条片１１ｅが溝１１ｄ内において長手方向に延びる線を中心として回動可能となるように形成されている。例えば、図５に示すように、溝１１ｄの長手方向に直交する断面の形状は、螺旋形状であり、突条片１１ｅの長手方向に直交する断面の形状は、溝１１ｄに対応する螺旋形状である。なお、シャッター片１１の第１係合部１１ｂと第２係合部１１ｃとの形状は、上述の形状に限定されるものではなく、シャッター片１１と他のシャッター片１１とを長手方向に延びる線を中心に回動可能に連結する形状であればいずれの形状であってもよい。シャッター片１１は、ポリカーボネート等の可撓性を有する材料から形成されている。
【００３３】
シャッター１０は、シャッター片１１の第１係合部１１ｂの溝１１ｄに、他のシャッター片１１の第２係合部１１ｃの突条片１１ｅが長手方向に挿通されて、シャッター片１１が連結部１２によって順次連結されて形成される。このように、シャッター１０は、複数のシャッター片１１が連結部１２を介して連結されて、シャッター片１１の短手方向に連なって形成されており、シャッター１０の長手方向の長さは、シャッター片１１の数によって設定されている。シャッター１０の短手側の端部の一方（閉鎖方向側）がシャッター１０の前端部１３となり、シャッター１０の短手側の端部の他方（開放方向側）がシャッター１０の後端部１４となる。
【００３４】
図６は、閉鎖状態におけるシャッター１０の前端部１３を拡大して示す上下方向に沿う断面におけるシャッター付き収容装置１の部分拡大断面図である。図６に示すように、シャッター１０の前端部１３には、つまり、最も閉鎖方向側に位置するシャッター片１１（以下、前端シャッター片１１ともいう。）の閉鎖方向側の長手側の端部には、この前端シャッター片１１の長手方向に延びる弾性体から形成された緩衝部材１５が取り付けられている。緩衝部材１５は、前端シャッター片１１の第２係合部１１ｃに代えて設けられていてもよく、また、第２係合部１１ｃに取り付けられていてもよい。緩衝部材１５は、緩衝機能を実現可能であればいずれの材料から形成されていてもよく、例えばゴム材から形成されている。緩衝部材１５は、シャッター１０が閉鎖される際に、キックボード４３の上側の端部である上端部４３ａに当接し、シャッター１０とキックボード４３との間の衝突の際の衝撃を緩和する。また、緩衝部材１５は、シャッター１０の閉鎖状態において、キックボード４３の上端部４３ａと長手方向の全体に亘って密着し、シャッター１０の前端部１３とキックボード４３との間の密封を図っている。
【００３５】
また、前端シャッター片１１の基体部１１ａの外側には、基体部１１ａに沿って前端部１３側に向かって延びる板状のガード板１６が取り付けられている。ガード板１６は、前端部１３（緩衝部材１５）を超えて延びており、シャッター１０の閉鎖状態において、キックボード４３の前側の面である前面４３ｂの上端部４３ａ側の一部を前方から覆う。ガード板１６は、シャッター１０の閉鎖状態において、キックボード４３の前面４３ｂに当接するように形成されていてもよく、また、キックボード４３の前面４３ｂを空間を介して覆うように形成されていてもよい。ガード板１６は、シャッター１０の閉鎖状態において、前端部１３とキックボード４３との間からの害獣や害虫の侵入を防止している。なお、ガード板１６は、シャッター１０に取り付けられているものに限らず、同様に機能するように、キックボード４３に取り付けられていてもよい。
【００３６】
また、シャッター１０において、連結部１２の両端には、外側に向かって突出するスライダ１７が取り付けられている。スライダ１７は、例えば、シャッター片１１の長手方向に延びる円筒状の表面を有しており、シャッター付き収容装置１において、ガイドレール２０，３０の溝内を摺動可能にガイドレール２０，３０の溝内に収容されている。これにより、スライダ１７によってシャッター１０がガイドレール２０，３０に保持され、ガイドレール２０，３０に沿って移動可能になっている。スライダ１７は、ガイドレール２０，３０の溝内を滑らかに摺動可能な樹脂材等の材料から形成されている。シャッター片１１の長手方向の長さは、シャッター片１１の短手側の両端部がシャッター付き収容装置１においてガイドレール２０，３０の溝内に入り込まない長さに設定されていてもよく、ガイドレール２０，３０の溝内に入り込む長さに設定されていてもよい。シャッター片１１の短手側の両端部がガイドレール２０，３０の溝内に入り込む長さに設定されている場合は、シャッター片１１の短手方向の長さは、シャッター片１１がガイドレール２０，３０の溝内をガイドレール２０，３０に沿って移動可能な長さになっている。
【００３７】
また、シャッター１０は、スライダ１７を有していないものであってもよい。この場合、シャッター片１１の長手方向の長さは、シャッター片１１の短手側の両端部がシャッター付き収容装置１においてガイドレール２０，３０の溝内に収容される長さに設定されている。シャッター片１１の短手側の両端部がガイドレール２０，３０の溝内を摺動可能にガイドレール２０，３０の溝内に収容され、これにより、シャッター１０がガイドレール２０，３０に保持され、ガイドレール２０，３０に沿って移動可能になっている。また、シャッター片１１の短手方向の長さは、シャッター片１１がガイドレール２０，３０の溝内をガイドレール２０，３０に沿って移動可能な長さになっている。なお、シャッター１０構成は、上述の構成に限られるものではなく、他の公知の構成を適宜採用したものであってもよい。
【００３８】
図１〜４に示すように、シャッター１０は、具体的には、前端部１３がキックボード４３の上端部４３ａに当接する閉鎖位置（図２，４参照）から、前端部１３が上部フレーム４１ｄ，４２ｄの範囲に位置する開放位置（図１，３参照）まで移動可能な長さに設定されている。シャッター１０が閉鎖位置に位置する状態において、後端部１４は後部フレーム４１ｃ，４２ｃの範囲に位置し、シャッター１０が開放位置に位置する状態において、後端部１４は下部フレーム４１ａ，４２ａにおいて最も前方側に位置している。
【００３９】
このように、シャッター１０は、前面部２及び上面部４を少なくとも部分的に開放及び閉鎖可能になっており、本実施の形態においては、前面部２においてキックボード４３から上方及び上面部４の一部（略半分）を開放及び閉鎖可能になっている。つまり、シャッター付き収容装置１において、前面部２におけるキックボード４３から上方及び上面部４の一部に亘る範囲が開口８となっており、この開口８を介して、外部から内部に進入可能になっている。
【００４０】
シャッター付き収容装置１は、図１に示すように、右側面部６及び左側面部７にサイドパネル４６ａ，４６ｂが夫々取り付けられている。サイドパネル４６ａ，４６ｂは、例えばアクリル材等から形成された板状の部材であり、右側部フレーム４１及び左側部フレーム４２に夫々取り付けられて、右側部フレーム４１及び左側部フレーム４２の空間を夫々閉鎖している。また、図１に示すように、シャッター付き収容装置１には、キックボード４３の上端部４３ａから後方に向かって平面状に延びる底板４７が設けられている。
【００４１】
また、シャッター付き収容装置１は、後面部３及び上面部４において少なくとも後面部３に広がる、後面部３及び上面部４においてシャッター付き収容装置１の外側とシャッター付き収容装置１の内側とを隔てる隔壁部材８０を備えている。本実施の形態においては、隔壁部材８０は、後面部３に広がる後面板８１と、上面部４の少なくとも一部に広がる上面板８２とを有している。後面板８１は、後部フレーム４１ｃ，４２ｃに取り付けられており、上面板８２は、上部フレーム４１ｄ，４２ｄに取り付けられている。また、上面板８２は、後面部３側から上部フレーム４１ｄ，４２ｄの途中まで、例えば略半分まで延びており、開放状態のシャッター１０の上面部４に面する部分を上方から覆うようになっている。
【００４２】
シャッター付き収容装置１は内部に収容装置を備えている。本実施の形態においては、シャッター付き収容装置１は内部に収容装置としての棚を備えており、より具体的には、物品を陳列するための物品陳列棚５０を備えている。物品陳列棚５０は、より具体的には商品陳列棚である。
【００４３】
物品陳列棚５０は、少なくとも１つの棚板５１を有しており、例えば３つの棚板５１を有している。棚板５１は、例えば、鋼板等から形成された板状に延びる部材であり、シャッター付き収容装置１の内部に上下方向に間隔をあけて配設されている。物品陳列棚５０は、例えば、一対の支柱５２を備える。支柱５２は、直線状に延びる筒状の部材であり、延び方向に直交する断面の形状が矩形である。支柱５２は、例えば、鋼板を折曲加工することにより形成されている。支柱５２の１つの側面には、複数の穴５２ａが等間隔に形成されている。
【００４４】
一対の支柱５２は、図１に示すように、穴５２ａの形成された面が前方を向くように、後面部３側において上下方向に立設されている。具体的には、一対の支柱５２の一方は、その上下側の端部が右側部フレーム４１の上部フレーム４１ｄと下部フレーム４１ａとに固定され、また、その後面部３側の面が右側部フレーム４１の後部フレーム４１ｃに固定されている。また、一対の支柱５２の他方は、その上下側の端部が左側部フレーム４２の上部フレーム４２ｄと下部フレーム４２ａとに固定され、また、その後面部３側の面が左側部フレーム４２の後部フレーム４２ｃに固定されている。支柱５２の固定は公知の方法でなされており、例えば螺子による螺合や溶接、嵌合等の方法によって固定されている。
【００４５】
棚板５１の短手側の両端部には、ブラケット５３が取り付けられており、ブラケット５３は、左右方向において対向する一対の支柱５２の穴５２ａの少なくともいずれか１組に係止可能な構造を有している。棚板５１は、ブラケット５３を介して一対の支柱５２に固定されている。ブラケット５３の構造は、公知のいずれの構造であってよい。
【００４６】
また、物品陳列棚５０は、後面部３に面して後部カバー５４が取り付けられている。後部カバー５４は、例えば鋼板等から形成された板状の部材であり、支柱５２に取り付けられている。後部カバー５４は、物品陳列棚５０において、棚板５１の上方の空間を後方の空間から仕切り、棚板５１と共に物品を陳列する空間を規定している。なお、物品陳列棚５０は、後部カバー５４を有していなくてもよい。
【００４７】
このように、シャッター付き収容装置１は、内部に物品陳列棚５０を備えており、シャッター１０を閉鎖することにより、物品陳列棚５０を外部空間から遮断することができる。また、シャッター１０を開放することにより、物品陳列棚５０は開口８を介して外部に開放され、外部からの物品陳列棚５０への接近が可能になる。
【００４８】
また、シャッター付き収容装置１は、後面部３に配設された弾性を備える弾性部材としてのコイルバネ６１と、シャッター１０に配設されたコイルバネ６１と係合可能な開放係合部材としての開放係合爪６２と、シャッター１０に配設されたコイルバネ６１と係合可能な閉鎖係合部材としての閉鎖係合爪６３とを備えている。開放係合爪６２は閉鎖係合爪６３よりも閉鎖方向側に配設されている。コイルバネ６１並びに開放係合爪６２及び閉鎖係合爪６３は、シャッター１０の操作性を向上するための部材であり、コイルバネ６１は、シャッター１０が開放方向に移動されていくと開放係合爪６２に係合し下方に向かってたわみ、また、シャッター１０が閉鎖方向に移動されていくと閉鎖係合爪６３に係合し上方に向かってたわむ。
【００４９】
図７は、本発明の実施の形態に係るシャッター付き収容装置１の後面部３の構成を説明するための図であり、図７（ａ）は、シャッター１０が開放位置と閉鎖位置との中間に位置する状態におけるシャッター付き収容装置１の部分透過背面図であり、図７（ｂ）は、図７（ａ）に示す後面部３を左右方向に見た部分拡大断面図である。図７（ａ）においてはシャッター１０を透過して示している。
【００５０】
図７（ａ）に示すように、コイルバネ６１は、後面部３において、左右方向に延びており、一端が右側部フレーム４１の後部フレーム４１ｃに、他端が左側部フレーム４２の後部フレーム４２ｃに接続されて、後部フレーム４１ｃと後部フレーム４２ｃとの間に掛け渡されているか又は張設されている。また、コイルバネ６１は、後述するように、開放係合爪６２と閉鎖係合爪６３との間であって、シャッター１０の移動に伴う開放係合爪６２及び閉鎖係合爪６３の各々の軌道に交差して掛け渡されている。コイルバネ６１の上下方向における位置は、後述するようにコイルバネ６１が開放係合爪６２及び閉鎖係合爪６３と係合可能となる位置であればいずれの位置であってもよいが、後部フレーム４１ｃ，４２ｃの上下方向において中央の位置が好ましい。また、図７（ｂ）に示すように、コイルバネ６１は、後面部３において、シャッター１０よりも前方に位置している。
【００５１】
図７（ａ），（ｂ）に示すように、開放係合爪６２及び閉鎖係合爪６３は、シャッター１０の左右方向の中央に設けられており、また、開放係合爪６２及び閉鎖係合爪６３は、シャッター１０の開放及び閉鎖方向（上下方向）において所定の間隔ｄだけ離間して配設されている。また、シャッター１０が開放位置と閉鎖位置との中間の位置（以下、シャッター中間位置ともいう。）に位置する状態において、コイルバネ６１が上下方向において開放係合爪６２と閉鎖係合爪６３との中間に位置するように、開放係合爪６２及び閉鎖係合爪６３はシャッター１０に位置決めされている。また、シャッター１０は、シャッター中間位置において、前面部２の側の自重と後面部３の側の自重とが釣り合うよう設計されている。
【００５２】
また、図７（ｂ）に示すように、開放係合爪６２は、後面部３において、シャッター１０の前方側の面に取り付けられて、閉鎖方向（上方）に凹む凹部６２ａを備えるフック状の係合爪である。開放係合爪６２は、凹部６２ａにコイルバネ６１の左右方向中央部を収容してコイルバネ６１と係合可能となっており、シャッター１０がシャッター中間位置から開放方向に所定の距離（ｄ／２）を移動されると、凹部６２ａは閉鎖方向側からコイルバネ６１を収容して係合するようになっている。更にシャッター１０を開放方向に移動すると、開放係合爪６２はコイルバネ６１を下方に引っ張り下方にたわませる。
【００５３】
また、図７（ｂ）に示すように、閉鎖係合爪６３は、後面部３において、シャッター１０の前面部２側の面に取り付けられて、開放方向（下方）に凹む凹部６３ａを備えるフック状の係合爪である。閉鎖係合爪６３は、凹部６３ａにコイルバネ６１の左右方向中央部を収容してコイルバネ６１と係合可能となっており、シャッター１０がシャッター中間位置から閉鎖方向に所定の距離（ｄ／２）を移動されると、凹部６３ａは開放方向側からコイルバネ６１を収容して係合するようになっている。更にシャッター１０を閉鎖方向に移動すると、閉鎖係合爪６３はコイルバネ６１を上方に引っ張り上方にたわませる。
【００５４】
シャッター１０が開放位置に位置する状態において、開放係合爪６２が後面部３に位置するように、シャッター１０、ガイドレール２０，３０、及び開放係合爪６２等は形状やサイズ、配設位置等が設定されており、また、シャッター１０が閉鎖位置に位置する状態において、閉鎖係合爪６３が後面部３に位置するように、シャッター１０、ガイドレール２０，３０、及び閉鎖係合爪６３等は形状やサイズ、配設位置等が設定されている。これにより、シャッター１０が開放位置又は閉鎖位置に位置する状態において、コイルバネ６１が下面部５又は上面部４に巻き込まれて、コイルバネ６１が下部連結フレーム４４等に噛み込まれてシャッター１０が移動不能になることを防止できる。
【００５５】
また、図７（ａ），（ｂ）に示すように、コイルバネ６１よりも前方側において、上下方向に延びる弾性部材ガイド部材としての筒状のコイルバネガイドフレーム６４が下部連結フレーム４４から上方に立設されている。コイルバネガイドフレーム６４は、上方側の端部が、例えば、上部フレーム４１ｄ，４２ｄの間において左右方向に延びる筒状の補助フレーム６５によって支持されている。コイルバネガイドフレーム６４は、コイルバネ６１に近接されており、コイルバネ６１が上方又は下方にたわんだ際に、コイルバネ６１が前後方向に暴れることがないように、コイルバネ６１をシャッター１０との間に挟み、コイルバネ６１のガイドとして機能する。コイルバネガイドフレーム６４は、コイルバネ６１に当接されていてもよく、離間されていてもよい。また、コイルバネガイドフレーム６４は、開放係合爪６２及び閉鎖係合爪６３を収容する上下方向に延びる逃げ溝６４ａを備えている。この逃げ溝６４ａにより、開放係合爪６２及び閉鎖係合爪６３がコイルバネガイドフレーム６４に干渉することなく移動可能になっている。
【００５６】
シャッター付き収容装置１においては、シャッター１０が移動する際に、シャッター１０、開放係合爪６２、及び閉鎖係合爪６３が、フレーム体４０や、下部連結フレーム４４、補助フレーム６５等に干渉することがないように形状やサイズ、配設位置が設定されている。
【００５７】
シャッター付き収容装置１においては、シャッター１０が開放方向に移動されていくとコイルバネ６１が開放係合爪６２に係合し、コイルバネ６１が閉鎖方向に向かってシャッター１０を付勢し、シャッター１０の開放方向の操作性又は開放位置からの操作性の向上が図られている。また、シャッター１０が閉鎖方向に移動されていくとコイルバネ６１が閉鎖係合爪６３に係合し、コイルバネ６１が開放方向に向かってシャッター１０を付勢し、シャッター１０の閉鎖方向の操作性又は閉鎖位置からの操作性の向上が図られている。シャッター１０の操作性の向上を図るための構成は、上述のコイルバネ６１や、開放係合爪６２及び閉鎖係合爪６３等の構成に限られず、他の公知の構成であってもよい。また、シャッター付き収容装置１は、コイルバネ６１や、開放係合爪６２及び閉鎖係合爪６３等から成るシャッター１０の操作性の向上を図るための構成を有していなくてもよい。
【００５８】
また、シャッター付き収容装置１は、図１〜４に示すように、ガイドレール２０，３０と隔壁部材８０との間において側面部６，７の間に延びる、ネズミ等の害獣の内部への侵入を防ぐための補強部材７０を備えている。図８は、シャッター付き収容装置１の備える補強部材７０の概略構成を示すための左右方向に直交する断面におけるシャッター付き収容装置１の部分拡大断面図である。補強部材７０は、ガイドレール２０，３０の曲り角部において、閉鎖位置に位置するシャッター１０の少なくとも１つの連結部１２に面する補強面７１を有している。以下、補強部材７０について具体的に説明する。
【００５９】
図８に示すように、補強部材７０は、ガイドレール２０，３０の後面部３と上面部４との接続部における曲り角部２０ｂ，３０ｂにおいてガイドレール２０，３０と上面板８２との間に配設されており、左右方向に延びる板状の補強板７２と、後方側の端部において補強板７２に接続する左右方向に延びる板状の支持板７３とを有している。補強板７２と支持板７３とは、左右方向に直交する断面が楔形状を呈しており、上方側の端部において上面板８２に固定されている。補強板７２と支持板７３とは、鋼板等から一体に形成されており、上面板８２に溶接や図示しない螺子を用いた螺合により固定されている。補強板７２及び支持板７３は、上側の端部に図示しないフランジを有していてもよく、このフランジを介して上面板８２に固定されていてもよい。
【００６０】
補強板７２の内側に面する面が補強面７１を形成しており、補強面７１は、図８に示すように、閉鎖位置に位置するシャッター１０のガイドレール２０，３０の曲り角部２０ｂ，３０ｂに位置する少なくとも１つの連結部１２に面するようになっている。なお、シャッター１０が閉鎖位置に位置する状態において、少なくとも１つの連結部１２がガイドレール２０，３０の曲り角部２０ｂ，３０ｂに位置するようになっている。本実施の形態においては、シャッター１０が閉鎖位置に位置する状態において、１つの連結部１２がガイドレール２０，３０の曲り角部２０ｂ，３０ｂに位置するようになっている。
【００６１】
補強部材７０の補強面７１は、図８に示すように、補強面７１が面する連結部１２に隣接するシャッター片１１のうちシャッター１０の開放方向側のシャッター片１１（図８においてシャッター片１１Ａ）の短手方向（図８の線α方向）に交差して延びている。また、補強面７１は、補強面７１の法線上における連結部１２との間の間隔である間隔ｗが、補強面７１と連結部１２との間の間隔において最も小さくなっている。なお、補強面７１と連結部１２との間の間隔は、補強面７１の法線上における間隔ｗが最も小さくなっていなくてもよい。
【００６２】
図８に示すように、シャッター１０が閉鎖位置に位置する状態において、ガイドレール２０，３０の曲り角部２０ｂ，３０ｂに位置する連結部１２を形成する一対のシャッター片１１（図８においてシャッター片１１Ａ，１１Ｂ）は、真っ直ぐ延びた状態から連結部１２において折れ曲がって（回転して）おり、シャッター片１１Ａ，１１Ｂの短手方向の間の角度である角度βは、１８０度よりも小さい角度になっている。
【００６３】
このように、補強部材７０の補強面７１は、シャッター１０の折れ曲がった部分におけるシャッター片１１Ａ，１１Ｂの間の連結部１２に面している。シャッター１０の折れ曲がった部分におけるシャッター片１１Ａ，１１Ｂの間の連結部１２は、隣接するシャッター片１１Ａ，１１Ｂの剛性又は弾性力により外部から押圧する力に対して変形し難くなっている。このため、ネズミ等の害獣が上面板８２とシャッター１０との間をシャッター片１１をたわませて侵入してきたとしても、補強面７１と連結部１２との間は狭く、且つ、補強面７１が面する連結部１２は強固となっているので、害獣が連結部１２を変形させることは困難であり、補強面７１と補強面７１が面する連結部１２との間において害獣が更にシャッター付き収容装置１の内部に侵入することの防止を図ることができる。
【００６４】
シャッター片１１Ａ，１１Ｂの短手方向の間の角度βが小さければ小さいほど、シャッター片１１Ａ，１１Ｂの剛性又は弾性力により連結部１２が外部から押圧する力に対して変形し難くなると考えられる。このため、補強面７１に面する連結部１２を介して連結するシャッター片１１Ａ，１１の間の角度βが小さいほど、補強面７１によるシャッター付き収容装置１の内部への害獣の侵入の防止効果を向上させることができると考えられる。従って、シャッター１０が閉鎖位置に位置する状態において、補強面７１に面する連結部１２を形成するシャッター片１１Ａ，１１Ｂの間の角度βが、互いに連結されたシャッター片１１の間の曲がり角度において最小の値となるように、シャッター１０が形成されていることが好ましい。
【００６５】
また、支持板７３は、補強面７１の法線方向に延びる面であることが好ましい。補強面７１と連結部１２との間に害獣が侵入した際の補強面７１の支持力を強くすることができるからである。
【００６６】
また、断面が楔形状を呈する補強部材７０は、上面板８２の補強を図ることができ、上面板８２をも補強することができる。このため、上面板８２の厚さを薄くすることができる。
【００６７】
補強部材７０の補強面７１の形状は上述の平面形状に限らず、曲面形状であってもよい。例えば、補強面７１は、曲がり角部２０ｂ，３０ｂにおけるガイドレール２０，３０と同様に湾曲する曲面であってもよい。また、シャッター１０は、閉鎖状態において、２つ以上の連結部１２が曲がり角部２０ｂ，３０ｂに位置するように構成されていてもよく、この場合、補強部材７０の補強面７１は、曲り角部２０ｂ，３０ｂにおける全ての又は一部の連結部１２と面するように形成されていてもよい。
【００６８】
次いで、上面板８２及び補強部材７０のより具体的な形状について説明する。図９は、上部フレーム４１ｄ，４２ｄ、上面板８２、及び補強部材７０のより具体的な形状を示すための図であり、図９（ａ）は、補強部材７０の一方の端部の部分拡大斜視図であり、図９（ｂ）は、上面板８２及び補強部材７０の延び方向に直交する断面における断面図であり、図９（ｃ）は、上部フレーム４１ｄと上面板８２及び補強部材７０との分解斜視図である。
【００６９】
図９（ａ）に示すように、補強部材７０は、楔形状を呈するように一方の長手側端部７２ａ，７３ａにおいて互いに接続された補強板７２と支持板７３との夫々の他方の長手側端部７２ｂ，７３ｂから、上面板８２への取り付けに用いられる部分である平面状のフランジ７４，７５が夫々延設されている。フランジ７４は、補強板７２において補強板７２の短手側の端部から所定の間隔長手方向に離れた位置から、補強板７２の長手側端部７２ｂの残りの部分に亘って長手方向に延びている。つまり、フランジ７４は、補強板７２の短手側の端部近傍の部分には形成されていない。そして、このフランジ７４が形成されていない補強板７２の短手側の端部近傍の部分において、補強板７２は長手側端部７２ｂから長手側端部７２ａに向かって所定の幅の部分が切欠かれており、長手方向に延びる切欠き７２ｃが形成されている。また、同様に、フランジ７５は、支持板７３において支持板７３の短手側の端部から所定の間隔長手方向に離れた位置から、支持板７３の長手側端部７３ｂの残りの部分に亘って長手方向に延びている。つまり、フランジ７５は、支持板７３の短手側の端部近傍の部分には形成されていない。そして、このフランジ７５が形成されていない支持板７３の短手側の端部近傍の部分において、支持板７３は長手側端部７３ｂから長手側端部７３ａに向かって所定の幅の部分が切欠かれており、長手方向に延びる切欠き７３ｃが形成されている。補強部材７０の両端部の形状は同一であり、両端部とも上述の形状を有している。補強板７２、支持板７３、及びフランジ７４，７５は同一の材料から一体に形成されている。
【００７０】
図９（ｂ）に示すように、上面板８２は、シャッター付き収容装置１の上面部４の一部において広がる矩形の長尺板状の上面部８３と、この上面部８３の長手側の端部の一方から内側に延びる矩形の長尺板状の後面部８４とを備えている。上面部８３の長手側の端部の他方は内側に折り曲げられて（あざ折）あざ折部８３ａが形成されている。また、上面部８３の内側には、フランジ７４，７５を介して補強部材７０が取り付けられている。フランジ７４，７５は、溶接や図示しない螺子を用いた螺合により上面部８３に取り付けられている。補強部材７０の端部において、補強板７２及び支持板７３には夫々切欠き７２ｃ，７３ｃが形成されており、これにより、上面部８３と、補強部材７０の端部近傍における補強板７２及び支持板７３との夫々の間に、スリットが形成されている。なお、補強板７２及び支持板７３の夫々の切欠き７２ｃ，７３ｃの部分から上面板８２に平行にフランジが形成されていてもよい。また、補強部材７０と上面部８３及び後面部８４との長手方向の長さは同じである。補強部材７０の長手方向の長さは、上面部８３及び後面部８４の長手方向の長さよりも短くてもよい。
【００７１】
また、図９（ｃ）に示すように、上面板８２は、後面部８４の短手側の両端部から長手方向に延びる係合部８５を備えている。係合部８５は、後述するように、上部フレーム４１ｄ，４２ｄの後端に係合可能に形成されている。例えば、図９（ｃ）に示すように、上部フレーム４１ｄ，４２ｄの後端にスナップ結合可能な一対の爪８５ａを有している。図９（ｃ）に示すように、上部フレーム４１ｄは、内側に延びる板状のフランジ４８を有している。左側の上部フレーム４２ｄも右側の上部フレーム４１ｄと同様に、フランジ４８に対応するフランジ４８を有している。フランジ４８は、補強部材７０の切欠き７２ｃ，７３ｃと上面板８２の上面部８３とが形成するスリットに挟持されるような厚さ及び大きさを有している。
【００７２】
シャッター付き収容装置１において、補強部材７０が取り付けられた上面板８２は、上部フレーム４１ｄ及び上部フレーム４２ｄに取り付けられている。具体的には、上部フレーム４１ｄ及び上部フレーム４２ｄのフランジ４８が、切欠き７２ｃ，７３ｃと上面部８３とが形成するスリットに挿入されて挟持され、また、上面板８２の係合部８５が上部フレーム４１ｄ及び上部フレーム４２ｄの後端に向かって後方から押圧され、係合爪８５ａが上部フレーム４１ｄ及び上部フレーム４２ｄの内面に係合して、上面板８２が上部フレーム４１ｄ及び上部フレーム４２ｄに取り付けられる。上面板８２が左右の上部フレーム４１ｄ及び上部フレーム４２ｄに取り付けられた状態において、上側において、上面板８２と、上部フレーム４１ｄ及び上部フレーム４２ｄとは面一となっており、上面板８２と上部フレーム４１ｄ及び上部フレーム４２ｄとが面一となるように上部フレーム４１ｄ及び上部フレーム４２ｄにおいてフランジ４８が配設されている。
【００７３】
以上、詳細に説明したように、本発明の実施の形態に係るシャッター付き収容装置１においては、補強部材７０がガイドレール２０，３０の曲り角部２０ｂ，３０ｂにおいて、閉鎖状態のシャッター１０の連結部１２に面する補強面７１を有している。これにより、補強面７１と連結部１２との間が狭くなっている。また、補強面７１が面する連結部１２を介して隣接する（連結された）シャッター片１１の間の角度βは１８０度よりも小さく、可撓性の大きいシャッター片１１から形成されたシャッター１０においても、この補強面７１が面する連結部１２は変形し難くなっている。このように、補強面７１と補強面７１が面する連結部１２との間の間隔は狭く、また、この補強面７１が面する連結部１２は外力に対して変形し難くなっている。このため、シャッター付き収容装置１においては、ネズミ等の害獣が、補強面７１と補強面７１が面する連結部１２との間を通り抜けることが容易ではなくなっている。
【００７４】
このように、本発明の実施の形態に係るシャッター付き収容装置１によれば、可撓性の大きいシャッター片１１を用いて形成されたシャッター１０を用いても、内部への害獣の侵入の防止を図ることができる。
【００７５】
以上、本発明の実施の形態について説明したが、本発明は上記本発明の実施の形態に限定されるものではなく、本発明の概念及び特許請求の範囲に含まれるあらゆる態様を含む。また、上述した課題及び効果の少なくとも一部を奏するように、各構成を適宜選択的に組み合わせてもよい。例えば、上記実施の形態における、各構成要素の形状、材料、配置、サイズ等は、本発明の具体的使用態様によって適宜変更され得る。
【００７６】
例えば、補強部材７０は、ガイドレール２０，３０の曲り角部２０ｂ，３０ｂにおいて補強面７１が連結部１２に面する位置に配設されているものに限られず、ガイドレール２０，３０の曲り角部２０ａ，３０ａや曲り角部２０ｃ，３０ｃに位置する連結部１２に面する位置に配設されているものであってもよい。また、補強部材７０は、曲り角部２０ａ，３０ａ、曲り角部２０ｂ，３０ｂ、及び曲り角部２０ｃ，３０ｃの全てにおいて、補強面７１が連結部１２に面する位置に配設されているものであってもよい。
【００７７】
また、シャッター付き収容装置１は、上面板８２を有していなくてもよい。この場合、補強部材７０は、右側部フレーム４１及び左側部フレーム４２、又は後面板８１に取り付けられる。また、上面板８２は、従来から用いられている物品を載置可能な厚さを有する形状のものであってもよい。また、補強部材７０は、上面板８２に取り付けられていなくてもよい。
【００７８】
また、フレーム体４０の形態は上述のものに限らず、また、物品陳列棚５０の形態も上述のものに限らない。例えば、支柱５２が設けられておらず、棚板５１は右側部フレーム４１及び左側部フレーム４２に固定されるようにしてもよい。シャッター付き収容装置１は、上述のような物品陳列棚５０を備えるものではなく、内部に棚板によって分離されていない１つの空間が形成された収容装置を備えるものであってもよい。
【符号の説明】
【００７９】
１  シャッター付き収容装置
２  前面部
３  後面部
４  上面部
５  下面部
６  右側面部
７  左側面部
８  開口
１０  シャッター
１１，１１Ａ，１１Ｂ  シャッター片
１１ａ  基体部
１１ｂ  第１係合部
１１ｃ  第２係合部
１１ｄ  溝
１１ｅ  突条片
１２  連結部
１３  前端部
１４  後端部
１５  緩衝部材
１６  ガード板
１７  スライダ
２０，３０  ガイドレール
２０ａ〜２０ｃ，３０ａ〜３０ｃ  曲り角部
４０  フレーム体
４１  右側部フレーム
４１ａ，４２ａ  下部フレーム
４１ｂ，４２ｂ  前部フレーム
４１ｃ，４２ｃ  後部フレーム
４１ｄ，４２ｄ  上部フレーム
４２  左側部フレーム
４３  キックボード
４３ａ  上端部
４３ｂ  前面
４４  下部連結フレーム
４５  接地アジャスター
４６ａ，４６ｂ  サイドパネル
４７  底板
４８  フランジ
５０  物品陳列棚
５１  棚板
５２  支柱
５２ａ  穴
５３  ブラケット
５４  後部カバー
６１  コイルバネ
６２  開放係合爪
６２ａ，６３ａ  凹部
６３  閉鎖係合爪
６４  コイルバネガイドフレーム
６４ａ  逃げ溝
６５  補助フレーム
７０  補強部材
７１  補強面
７２  補強板
７２ａ，７２ｂ，７３ａ，７３ｂ  長手側端部
７２ｃ，７３ｃ  切欠き
７３  支持板
７４，７５  フランジ
８０  隔壁部材
８１  後面板
８２  上面板
８３  上面部
８３ａ  あざ折部
８４  後面部
８５  係合部
８５ａ  爪
【図１】
0006483528.tif 000002
【図２】
0006483528.tif 000003
【図３】
0006483528.tif 000004
【図４】
0006483528.tif 000005
【図５】
0006483528.tif 000006
【図６】
0006483528.tif 000007
【図７】
0006483528.tif 000008
【図８】
0006483528.tif 000009
【図９】
0006483528.tif 000010